(57)【要約】【課題】  電子のラブや陽子のラブはどのようなものか。【解決手段】  電子のラブは、電子の核子の自転体であると考える。陽子のラブは、陽子の核子の自転体であると考える。ビッグバンの以前、電子の核子と陽子の核子は自転だけしていた。電子の核子と陽子の核子が公転をして、ビッグバンがおきた。核子の自転軌道や公転軌道は存在する場のエネルギーにより変化する。低エネルギーの場では軌道は大きくなる。宇宙では、ビッグバンの以前、電子の核子の自転軌道は１０−４４ｍです。地球では、電子の核子の自転軌道は１０−２８ｍです。原子の中では、電子のラブが公転する殻により、電子の核子の公転軌道は異なる。電子の核子の自転軌道：公転軌道＝１：１０１６ですから、電子の核子の自転軌道も異なる。【選択図】  図１
2005269898.tif 000002
【特許請求の範囲】
【請求項１】
電子のラブはなんであるか。
電子のラブは電子の核子が自転したものです。
電子のラブは核子の自転体です。
【請求項２】
電子の核子はどのような物であるか。
電子の核子はビッグバンの以前に存在した物です。
【請求項３】
ビッグバンの以前、核子の大きさはどれ位か。
ビッグバンの以前、核子は自転だけをしていた。
現在地球において、電子の核子の自転軌道：公転軌道は１：１０１６ですから、自転だけであるビッグバンの以前の核子の自転軌道は、現在地球においての電子の核子の自転軌道の１０−１６倍です。
電子の核子の自転軌道は電子のラブの大きさですから、１０−２８ｍです。
それで、ビッグバンの以前の電子の核子の大きさは、
１０−２８ｍ×１０−１６＝１０−４４ｍです。
【請求項４】
ビッグバンは何が原因で起きたか。
核子が公転する事によっておきた。
【請求項５】
電子の核子の自転はどのようになっているか。
電子の核子の自転軌道は存在する場のエネルギーによって軌道を変化する。
存在する場のエネルギーが大きければ、核子の自転軌道は小さい。
存在する場のエネルギーが小さければ、核子の自転軌道は大きい。
【請求項６】
宇宙において、電子の核子の自転はどのように変化したか。
現在、地球において、電子のラブの自転軌道は１０−２８ｍです。
それで、電子の核子の自転軌道は１０−２８ｍです。
太陽のエネルギーは地球のエネルギーの５×１０３倍であるとすると（太陽の中心は１５００万Ｋ度で、地球の中心は３０００Ｋ度であるとする。）、太陽において、電子の核子の自転軌道は、
１０−２８ｍ÷（５×１０３）＝２×１０−３２ｍです。
銀河系のエネルギーは地球のエネルギーの１０５倍であるとすると、銀河系において、電子の核子の自転軌道は、
１０−２８ｍ÷１０５＝１０−３３ｍです。
クエーサーのエネルギーは銀河系のエネルギーの１０２倍であるとすると、（銀河系のエネルギーの１０２倍であるクエーサーの場合は、）クエーサーにおいて、電子の核子の自転軌道は、
１０−３３ｍ÷１０２＝１０−３５ｍです。
ビッグバンの以前のエネルギーは、地球のエネルギーの１０１６倍ですから、ビッグバンの以前において、電子の核子の自転軌道は、
１０−２８ｍ÷１０１６＝１０−４４ｍです。
電子の核子の自転軌道は、ビッグバンの以前は、１０−４４ｍ、ビッグバンのときは、１０−４４ｍ、クエーサーは、１０−３５ｍ、銀河系は、１０−３３ｍ、地球は、１０−２８ｍです。
【請求項７】
電子の核子の公転はどのようになっているか。
電子の核子の公転軌道は存在する場のエネルギーによって軌道を変化する。
存在する場のエネルギーが大きければ、核子の公転軌道は小さい。
存在する場のエネルギーが小さければ、核子の公転軌道は大きい。
【請求項８】
宇宙において、電子の核子の公転はどのように変化したか。
現在、地球において、電子のラブの公転軌道は１．２５×１０−１２ｍです。
それで、電子の核子の公転軌道は約１０−１２ｍです。
太陽のエネルギーは地球のエネルギーの５×１０３倍であるとすると、太陽において、電子の核子の公転軌道は、
１０−１２ｍ÷（５×１０３）＝２×１０−１６ｍです。
銀河系のエネルギーは地球のエネルギーの１０５倍であるとすると、銀河系において、電子の核子の公転軌道は、
１０−１２ｍ÷１０５＝１０−１７ｍです。
クエーサーのエネルギーは銀河系のエネルギーの１０２倍であるとすると、クエーサーにおいて、電子の核子の公転軌道は、
１０−１７ｍ÷１０２＝１０−１９ｍです。
ビッグバンのエネルギーは地球のエネルギーの１０１６倍ですから、ビッグバンにおいて、電子の核子の公転軌道は、
１０−１２ｍ÷１０１６＝１０−２８ｍです。
電子の核子が公転することによって、１電子の空間が１０−４４ｍから１０−２８ｍになり１０１６倍になったので、ビッグバンはおきた。
電子の核子の公転軌道は、ビッグバンのときは、１０−２８ｍ、クエーサーは、１０−１９ｍ、銀河系は、１０−１７ｍ、地球は、１０−１２ｍです。
【請求項９】
現在、地球において、電子の核子はどのように運動しているか。
電子の核子は自転し、磁気の光子を作っている。
電子の核子の自転軌道は１０−２８ｍです。
電子の核子は公転し、電気の光子を作っている。
電子の核子の公転軌道は１０−１２ｍです。
核子が１公転する間に１０１６回自転する。
電子の核子が１公転する軌道に１０１６個の核子の自転体が並ぶ。
【請求項１０】
電気の光子はどのような原理でできるのか。
電子の核子は自転し１０−２８ｍの自転体と成っている。
これは１０−２８ｍのコイルです。
電子の核子は自転し１０−２８ｍのコイルになっている。
電子の核子の公転軌道は１０−１２ｍですから１公転に、
１０−１２ｍ÷１０−２８ｍ＝１０１６個のコイルができる。
それで、電磁誘導の原理に従って、コイルの中に電流ができる。
この電流が電気の光子です。
電子の核子のコイル１０１６個で、１０８個の電気の光子ができる。
電子の核子のコイル１０８個で、１個の電気の光子ができる。
【請求項１１】
ここでは電子の核子について記したが、陽子の核子がある。
陽子の核子については、電子の核子と同様に考える。
陽子の核子のエネルギーは電子の核子のエネルギーの約２０００倍なので、軌道は２０００分の１です。
【請求項１２】
電子の軌道である殻はどのようなものか。
殻は陽子の核子が公転して作る電気の光子が束になって回転している軌道です。
陽子の核子が公転して作る電気の光子はγ線ですから、電気の光子の束を特性γ線と名づけます。
特性γ線の軌道（殻）を囲んで、ドーナツのように、陽子の核子の自転によってできた磁気の光子がクロス回転しています。
磁気の光子がクロス回転することによって、殻は守られている。
【請求項１３】
殻はどのようになっているか。
特性γ線の軌道（殻）を、電子の核子と電気の光子が回転しています。
電子の核子の自転によってできた磁気の光子は、陽子の核子の自転によってできた磁気の光子と同じ軌道をクロス回転しています。
例えば、１０−１１ｍの軌道の殻の場合。
（電子の中の軌道エネルギーの式は２００５年２月２８日提出の特許願いに記した。）
電気の光子のエネルギーは、５．６×１０−２７Ｊ・ｍ÷１０−１１ｍ＝５．６×１０−１６Ｊです。
磁気の光子のエネルギーは、６．９×１０−３５Ｊ・ｍ÷１０−１１ｍ＝６．９×１０−２４Ｊです。
１０−１１ｍの軌道の殻には、陽子の核の公転によってできた５．６×１０−１６Ｊの電気の光子が束になって回転しています。
５．６×１０−１６Ｊの電子の自転体と、１０８個で５．６×１０−１６Ｊである電気の光子が同じ１０−１１ｍの殻の軌道を回転しています。
殻の軌道（電気の光子の軌道）をクロス回転しているのは、陽子の核子の自転でできた６．９×１０−２４Ｊの磁気の光子と、電子の核子の自転でできた磁気の光子です。
殻の軌道（電気の光子の軌道）をクロス回転している、陽子の核子の自転でできた６．９×１０−２４Ｊ（１０−１１ｍの軌道）の磁気の光子によって、電気の光子の軌道（殻）は守られている。
同じ軌道を走るものは、同じエネルギーのものです。
この場合、電子の核子の公転軌道は１０−１１ｍです。
そして、電子の核子の自転軌道は、１０−１１ｍ×１０−１６＝１０−２７ｍです。
このように、電子の核子の公転軌道が変化すると自転軌道も変化します。
【請求項１４】
内側の殻を公転する電子にエネルギーを加え、外側の殻に移すと、すぐエネルギーを放出して再度内側の殻に移るのはどうしてか。
内側の殻のほうが外側の殻より軌道エネルギーは大きい。
例えば、１０−１１ｍの殻の電気の光子のエネルギーは５．６×１０−２７Ｊであり、磁気の光子のエネルギーは６．９×１０−３５Ｊである。１０−１０ｍの殻の電気の光子のエネルギーは３×１０−２９Ｊであり、磁気の光子のエネルギーは３．９×１０−３７Ｊである。
加えるエネルギーは、電子の核の自転体の外側の軌道の光子です。
放出するエネルギーは、電子の核の自転体の最も外側の軌道の光子です。
電子の核の自転軌道は、
１．２５×１０−１２ｍの公転軌道では、
１．２５×１０−１２ｍ×÷１０１６＝１．２５×１０−２８ｍです。
１０−１１ｍの公転軌道では、１０−２７ｍです。
１０−１０ｍの公転軌道では、１０−２６ｍです。
５×１０−１０ｍの公転軌道では、５×１０−２６ｍです。
それで、１０−１０ｍの殻から５×１０−１０ｍの殻へ無理に電子を移動させた場合。
１０−１０ｍの公転軌道（殻）では、電子の核の自転軌遣は１０−２６ｍです。その自転軌道は変わらない。５×１０−１０ｍの公転軌道へ移しても変わらず保持する。
５×１０−１０ｍの公転軌道に存在するためには、電子の核の自転軌道は５×１０−２６ｍでなければならない。
それで、すぐ１０−１０ｍの公転軌道にもどる。
１０−１０ｍの公転軌道にもどった電子の核は、いくらでも電気の光子と磁気の光子を作れるので光子を加える必要は無い。
１０−１０ｍの公転軌道にもどるとき放出する電磁気は、電子の核の自転体の最も外側を回転する電気の光子と磁気の光子です。特性Ｘ線です。
【請求項１５】
水素ができた軌道エネルギーは、地球の軌道エネルギーの何倍か。
電子の中は、×１０−１３ｍでエネルギーは１０倍になる。
地球では、軌道が×１０ｍでエネルギーは１０倍になる。
それで、電子の中のエネルギーは、１０ｍ÷１０−１３ｍ＝１０１４倍です。
よって、地球のエネルギーの１０１４倍の場で水素はできた。
水素ができた場の電子の核の自転軌道は１０−２８ｍ÷１０１４＝１０−４２ｍで、公転軌道は、１０−１２ｍ÷１０１４＝１０−２６ｍです。陽子の核の自転軌道は１０−３２ｍ÷１０１４＝１０−４６ｍで、公転軌道は、１０−１６ｍ÷１０１４＝１０−３０ｍです。
【発明の詳細な説明】
【技術分野】
【０００１】  この発明は電子や陽子の中がどのようになっているかに関する。
【背景技術】
【０００２】  電子の中や陽子の中にはクオークが存在すると考えられている。
【本発明が解決しようとする課題】
【０００３】１．電子のラブはなんであるか。
２．電子の核子はどのような物であるか。
３．ビッグバンの以前、核子の大きさはどれ位か。
４．ビッグバンは何が原因で起きたか。
５．電子の核子の自転はどのようになっているか。
６．宇宙において、電子の核子の自転はどのように変化したか。
７．電子の核子の公転はどのようになっているか。
８．宇宙において、電子の核子の公転はどのように変化したか。
９．現在、地球において、電子の核子はどのように運動しているか。
１０．電気の光子はどのような原理でできるのか。
１１．ここでは電子の核子について記したが、陽子の核子がある。
陽子の核子については、電子の核子と同じように考える。
１２．電子の軌道である殻はどのようなものか。
１３．殻はどのようになっているか。
１４．内側の殻を公転する電子にエネルギーを加え、外側の殻に移すと、すぐエネルギーを放出して再度内側の殻に移るのはどうしてか。
１５．水素ができた軌道エネルギーは、地球の軌道エネルギーの何倍か。
【課題を解決するための手段】
【０００４】  本発明者は、陽子の中には陽子のラブがある。電子の中には電子のラブがある。と考えてきた。電子のラブはなんであるか。ビッグバンの以前は自転だけであった。そうすると電子のラブは何かの自転体である。その何かを核子と名づける。電子のラブは核子の自転体であると考える。電子のラブは核子の自転体であり、コイルのようになっている。電子が１公転する軌道に１０１６個の核子の自転体であるコイルが存在する。それで、１公転で１０１６個の磁気の光子ができる。コイル１個で１個の磁気の光子ができる。電気の光子はコイルの電磁誘導でできる。１０１６個のコイルで１０８個の電気の光子ができる。
核子は存在する場所のエネルギーによって自転軌道を変化させる。
核子は存在する場所のエネルギーによって公転軌道を変化させる。
宇宙では、ビッグバンの以前は自転だけであった。核の自転：公転は常に１：１０１６であるから、ビッグバンの以前は、自転だけであるから、エネルギーは地球のエネルギーの１０１６倍で、軌道は１０−１６倍です。地球において、電子のラブの自転は１０−２８ｍですから、ビッグバンの以前の核子の自転は１０−２８ｍ×１０−１６＝１０−４４ｍです。この核子の自転軌道は低エネルギーの環境に成るにしたがって、大きくなった。
原子の中では、電子の核子は殻を公転している。高エネルギーの場に居る時は、公転軌道を小さくしている。核子の自転：公転は常に１：１０１６であるから、自転軌道も小さくしている。
電子にエネルギーを加えて、無理に、外側の殻に移動させるとき、電子はすぐもとの軌道にもどるのは、電子の核の自転軌道は保持されるからです。
電子の中のエネルギーから水素ができた場のエネルギーが解る。
【発明の実施態様】
【０００５】１．  電子のラブはなんであるか。（図１）
電子のラブは電子の核子が自転したものです。
電子のラブは核子の自転体です。
２．  電子の核子はどのような物であるか。
電子の核子はビッグバンの以前に存在した物です。
３．  ビッグバンの以前、核子の大きさはどれ位か。
ビッグバンの以前、核子は自転だけをしていた。
現在地球において、電子の核子の自転軌道：公転軌道は１：１０１６ですから、自転だけであるビッグバンの以前の核子の自転軌道は、現在地球においての電子の核子の自転軌道の１０−１６倍です。
電子の核子の自転軌道は電子のラブの大きさですから、１０−２８ｍです。
それで、ビッグバンの以前の電子の核子の大きさは、
１０−２８ｍ×１０−１６＝１０−４４ｍです。
４．  ビッグバンは何が原因で起きたか。
核子が公転する事によっておきた。
５．  電子の核子の自転はどのようになっているか。
電子の核子の自転軌道は存在する場のエネルギーによって軌道を変化する。
存在する場のエネルギーが大きければ、核子の自転軌道は小さい。
存在する場のエネルギーが小さければ、核子の自転軌道は大きい。
６．  宇宙において、電子の核子の自転はどのように変化したか。（図２）
現在、地球において、電子のラブの自転軌道は１０−２８ｍです。
それで、電子の核子の自転軌道は１０−２８ｍです。
太陽のエネルギーは地球のエネルギーの５×１０３倍であるとすると（太陽の中心は１５００万Ｋ度で、地球の中心は３０００Ｋ度であるとする。）、太陽において、電子の核子の自転軌道は、
１０−２８ｍ÷（５×１０３）＝２×１０−３２ｍです。
銀河系のエネルギーは地球のエネルギーの１０５倍であるとすると、銀河系において、電子の核子の自転軌道は、
１０−２８ｍ÷１０５＝１０−３３ｍです。
クエーサーのエネルギーは銀河系のエネルギーの１０２倍であるとすると、（銀河系のエネルギーの１０２倍であるクエーサーの場合。）クエーサーにおいて、電子の核子の自転軌道は、
１０−３３ｍ÷１０２＝１０−３５ｍです。
ビッグバンの以前のエネルギーは、地球のエネルギーの１０１６倍ですから、ビッグバンの以前において、電子の核子の自転軌道は、
１０−２８ｍ÷１０１６＝１０−４４ｍです。
電子の核子の自転軌道は、ビッグバンの以前は、１０−４４ｍ、ビッグバンのときは、１０−４４ｍ、クエーサーは、１０−３５ｍ、銀河系は、１０−３３ｍ、地球は、１０−２８ｍです。
７．  電子の核子の公転はどのようになっているか。
電子の核子の公転軌道は存在する場のエネルギーによって軌道を変化する。
存在する場のエネルギーが大きければ、核子の公転軌道は小さい。
存在する場のエネルギーが小さければ、核子の公転軌道は大きい。
８．  宇宙において、電子の核子の公転はどのように変化したか。（図２）
現在、地球において、電子のラブの公転軌道は１．２５×１０−１２ｍです。
それで、電子の核子の公転軌道は約１０−１２ｍです。
太陽のエネルギーは地球のエネルギーの５×１０３倍であるとすると、太陽において、電子の核子の公転軌道は、
１０−１２ｍ÷（５×１０３）＝２×１０−１６ｍです。
銀河系のエネルギーは地球のエネルギーの１０５倍であるとすると、銀河系において、電子の核子の公転軌道は、
１０−１２ｍ÷１０５＝１０−１７ｍです。
クエーサーのエネルギーは銀河系のエネルギーの１０２倍であるとすると、クエーサーにおいて、電子の核子の公転軌道は、
１０−１７ｍ÷１０２＝１０−１９ｍです。
ビッグバンのエネルギーは地球のエネルギーの１０１６倍ですから、ビッグバンにおいて、電子の核子の公転軌道は、
１０−１２ｍ÷１０１６＝１０−２８ｍです。
電子の核子が公転することによって、１電子の空間が１０−４４ｍから１０−２８ｍになり１０１６倍になったので、ビッグバンはおきた。
電子の核子の公転軌道は、ビッグバンのときは、１０−２８ｍ、クエーサーは、１０−１９ｍ、銀河系は、１０−１７ｍ、地球は、１０−１２ｍです。
９．  現在、地球において、電子の核子はどのように運動しているか。
電子の核子は１回自転し、１個の磁気の光子を作っている。
電子の核子は１回公転し、１０８個の電気の光子を作っている。
電子の核子の自転軌道は１０−２８ｍです。
電子の核子の公転軌道は１０−１２ｍです。
核子が１公転する間に１０１６回自転する。
電子の核子が１公転する軌道に１０１６個の核子の自転体が並ぶと考える。
１０．  電気の光子はどのような原理でできるのか。（図３）
電子の核子は自転し１０−２８ｍの自転体と成っている。（公転軌道が１０−１２ｍの場合。）
これは１０−２８ｍのコイルです。
電子の核子は自転し１０−２８ｍのコイルになっている。
電子の核子の公転軌道は１０−１２ｍですから１公転に、
１０−１２ｍ÷１０−２８ｍ＝１０１６個のコイルができる。
それで、電磁誘導の原理に従って、コイルの中に電流ができる。
この電流が電気の光子です。
電子の核子のコイル１０１６個で、１０８個の電気の光子ができる。
電子の核子のコイル１０８個で、１個の電気の光子ができる。
１１．  ここでは電子の核子について記したが、陽子の核子がある。
陽子の核子については、電子の核子と同じように考える。
陽子の核子のエネルギーは電子の核子のエネルギーの約２０００倍なので、軌道は２０００分の１です。
１２．  電子の軌道である殻はどのようなものか。（図４）
殻は陽子の核子が公転して作る電気の光子が束になって回転している軌道です。
陽子の核子が公転して作る電気の光子はγ線ですから、電気の光子の束を特性γ線と名づけます。
特性γ線の軌道（殻）を囲んで、ドーナツのように、陽子の核子の自転によってできた磁気の光子がクロス回転しています。
１３．  殻はどのようになっているか。（図５）
特性γ線の軌道（殻）を、電子の核子と電気の光子が回転しています。
電子の核子の自転によってできた磁気の光子は、陽子の核子の自転によってできた磁気の光子と同じ軌道をクロス回転しています。
例えば、１０−１１ｍの軌道の殻の場合。
（電子の中の軌道エネルギーの式は２００５年２月２８日提出の特許願いに記した。）
電気の光子のエネルギーは、５．６×１０−２７Ｊ・ｍ÷１０−１１ｍ＝５．６×１０−１６Ｊです。
磁気の光子のエネルギーは、６．９×１０−３５Ｊ・ｍ÷１０−１１ｍ＝６．９×１０−２４Ｊです。
１０−１１ｍの軌道の殻には、陽子の核の公転によってできた５．６×１０−１６Ｊの電気の光子が束になって回転しています。
５．６×１０−１６Ｊの電子の自転体と、１０８個で５．６×１０−１６Ｊである電気の光子が同じ１０−１１ｍの殻の軌道を回転しています。
殻の軌道（電気の光子の軌道）をクロス回転しているのは、陽子の核子の自転でできた６．９×１０−２４Ｊの磁気の光子と、電子の核子の自転でできた磁気の光子です。
殻の軌道（電気の光子の軌道）をクロス回転している、陽子の核子の自転でできた６．９×１０−２４Ｊ（１０−１１ｍの軌道）の磁気の光子によって、電気の光子の軌道（殻）は守られている。
同じ軌道を走るものは、同じエネルギーのものです。
この場合、電子の核子の公転軌道は１０−１１ｍです。
そして、電子の核子の自転軌道は、１０−１１ｍ×１０−１６＝１０−２７ｍです。
このように、電子の核子の公転軌道が変化すると自転軌道も変化します。
１４．  内側の殻を公転する電子にエネルギーを加え、外側の殻に移すと、すぐエネルギーを放出して再度内側の殻に移るのはどうしてか。（図６）
内側の殻のほうが外側の殻より軌道エネルギーは大きい。
例えば、１０−１１ｍの殻の電気の光子のエネルギーは５．６×１０−２７Ｊであり、磁気の光子のエネルギーは６．９×１０−３５Ｊである。１０−１０ｍの殻の電気の光子のエネルギーは３×１０−２９Ｊであり、磁気の光子のエネルギーは３．９×１０−３７Ｊである。
加えるエネルギーは、電子の核の自転体の外側の軌道の光子です。
放出するエネルギーは、電子の核の自転体の外側の軌道の光子です。
電子の核の自転軌道は、
１．２５×１０−１２ｍの公転軌道では、
１．２５×１０−１２ｍ÷１０１６＝１．２５×１０−２８ｍです。
１０−１１ｍの公転軌道では、１０−２７ｍです。
１０−１０ｍの公転軌道では、１０−２６ｍです。
５×１０−１０ｍの公転軌道では、５×１０−２６ｍです。
それで、１０−１０ｍの殻から５×１０−１０ｍの殻へ無理に電子を移動させた場合。
１０−１０ｍの公転軌道（殻）では、電子の核の自転軌道は１０−２６ｍです。その自転軌道は変わらない。５×１０−１０ｍの公転軌道へ移しても変わらず保持する。
５×１０−１０ｍの公転軌道に存在するためには、電子の核の自転軌道は５×１０−２６ｍでなければならない。
それで、すぐ１０−１０ｍの公転軌道にもどる。
１０−１０ｍの公転軌道にもどった電子の核は、いくらでも電気の光子と磁気の光子を作れるので光子を加える必要は無い。
１０−１０ｍの公転軌道にもどるとき放出する電磁気は、電子の核の自転体の最も外側を回転する電気の光子と磁気の光子です。特性Ｘ線です。
１５．  水素ができた軌道エネルギーは、地球の軌道エネルギーの何倍か。
電子の中は、軌道が×１０−１３ｍでエネルギーは１０倍になる。
地球では、軌道が×１０ｍでエネルギーは１０倍になる。
それで、電子の中のエネルギーは、１０ｍ÷１０−１３ｍ＝１０１４倍です。
よって、地球のエネルギーの１０１４倍の場で水素はできた。
水素ができた場の電子の核の自転軌道は１０−２８ｍ÷１０１４＝１０−４２ｍで、公転軌道は、１０−１２ｍ÷１０１４＝１０−２６ｍです。陽子の核の自転軌道は１０−３２ｍ÷１０１４＝１０−４６ｍで、公転軌道は、１０−１６ｍ÷１０１４＝１０−３０ｍです。
次に宇宙に於けるエネルギーの比較と電子の核の自転軌道と公転軌道を記す。
2005269898.tif 000003
【発明の効果】
【０００６】電子のラブは電子の核子の自転体であると考える事によって、どうして電気の光子ができるかを理解できた。
電子の核子はコイルのように自転するので、電磁誘導の原理により電気の光子はできる。
電子の核子は存在する場のエネルギーによって、自転軌道と公転軌道を変化させる。
高エネルギーの場では、軌道は小さく、低エネルギーの場では、軌道は大きくなる。
原子において、殻の軌道は、電子の核子の公転軌道である。電子の核子の公転軌道：自転軌道＝１０１６：１である。この事は、電磁気の発生によって理解できる。
電子の核子の公転軌道が変化する事によって、電子の核子の自転軌道も変化することが理解できた。
宇宙において、存在する場のエネルギーから、電子の核子の自転軌道の変化と、公転軌道の変化を理解できた。
水素ができたエネルギーは、地球のエネルギーの１０１４倍であることが理解できた。
電子の核子の自転が１０−４２ｍで、公転が１０−２６ｍのとき水素はできた。
宇宙には、電子の核子と陽子の核子だけが存在する事が理解できた。
核子の自転で磁気の光子ができる。核子の公転で電気の光子ができる事を理解できた。
【図面の簡単な説明】
【図１】電子のラブは電子の核子が自転したものです
【図２】表に記したように、電子の核子の自転は拡大し、公転は拡大した。
【図３】電子の核子の自転軌道は１０−２８ｍです。電子の核子の公転軌道は１０−１２ｍです。核子が１公転する間に１０１６回自転する。電子の核子が１公転する軌道に１０１６個の核子の自転体であるコイルが並ぶ。
【図４】殻は陽子の核子が公転して作る電気の光子が束になって回転している軌道です。この軌道を、陽子の核子が自転して作る磁気の光子がクロス回転して守っている。
【図５】殻を、同じエネルギーの陽子の核と電子の核の公転でできた電気の光子が回転している。電子の核が公転している。陽子の核の自転でできた磁気の光子がクロス回転している。電子の核の自転でできた磁気の光子がクロス回転している。
【図６】加えるエネルギーは、電子の核の自転体の外側の軌道の光子です。放出するエネルギーは、電子の核の自転体の最も外側の軌道の光子です。それで、１０−１０ｍの殻から５×１０−１０ｍの殻へ無理に電子を移動させた場合。１０−１０ｍの公転軌道（殻）では、電子の核の自転軌道は１０−２６ｍです。その自転軌道は変わらない。５×１０−１０ｍの公転軌道へ移しても変わらず保持する。５×１０−１０ｍの公転軌道に存在するためには、電子の核の自転軌道は５×１０−２６ｍでなければならない。それで、すぐ１０−１０ｍの公転軌道にもどる。
【符号の説明】
１  電子のラブ＝電子の核子の自転体      ２  電子の核子
３  電子の核子の自転軌道      ４  電子の核子の公転軌道
５  ビッグバンの以前の軌道      ６  ビッグバンの軌道
７  水素ができた場の軌道      ８  銀河系の１００倍のエネルギーのクエーサーの軌道
９  銀河系の軌道      １０    太陽の軌道      １１    地球の軌道
１２  １公転している間に１０１６個の電子の核子の自転体であるコイルができる。
１３  陽子の核子      １４  陽子の核子の自転軌道      １５  陽子の核子の公転軌道
１６  殻＝特性γ線＝陽子の核子の公転によってできた電気の光子の束
１７  陽子の核子の自転によってできた磁気の光子の束
１８  電子の核子の公転によってできた電気の光子
１９  電子の核子の自転によってできた磁気の光子
２０  加えるエネルギー      ２１  放出する電磁気      ２２  電子の核子の自転軌道
２３  電子の核子の自転軌道は変わらず保持される。
【図１】
2005269898.tif 000004
【図２】
2005269898.tif 000005
【図３】
2005269898.tif 000006
【図４】
2005269898.tif 000007
【図５】
2005269898.tif 000008
【図６】
2005269898.tif 000009
【手続補正書】
【提出日】平成17年4月15日(2005.4.15)
【手続補正１】
【補正対象書類名】特許請求の範囲
【補正対象項目名】請求項１４
【補正方法】変更
【補正の内容】
【特許請求の範囲】
【請求項１４】
内側の殻を公転する電子にエネルギーを加え、外側の殻に移すと、すぐエネルギーを放出して再度内側の殻に移るのはどうしてか。
内側の殻のほうが外側の殻より軌道エネルギーは大きい。
例えば、１０−１１ｍの殻の電気の光子のエネルギーは５．６×１０−２７Ｊであり、磁気の光子のエネルギーは６．９×１０−３５Ｊである。１０−１０ｍの殻の電気の光子のエネルギーは３×１０−２９Ｊであり、磁気の光子のエネルギーは３．９×１０−３７Ｊである。
加えるエネルギーは、電子の核の自転体の外側の軌道の光子です。
放出するエネルギーは、電子の核の自転体の最も外側の軌道の光子です。
電子の核の自転軌道は、
１．２５×１０−１２ｍの公転軌道では、
１．２５×１０−１２ｍ×÷１０１６＝１．２５×１０−２８ｍです。
１０−１１ｍの公転軌道では、１０−２７ｍです。
１０−１０ｍの公転軌道では、１０−２６ｍです。
５×１０−１０ｍの公転軌道では、５×１０−２６ｍです。
それで、１０−１０ｍの殻から５×１０−１０ｍの殻へ無理に電子を移動させた場合。
１０−１０ｍの公転軌道（殻）では、電子の核の自転軌道は１０−２６ｍです。その自転軌道は変わらない。５×１０−１０ｍの公転軌道へ移しても変わらず保持する。
５×１０−１０ｍの公転軌道に存在するためには、電子の核の自転軌道は５×１０−２６ｍでなければならない。
それで、すぐ１０−１０ｍの公転軌道にもどる。
１０−１０ｍの公転軌道にもどった電子の核は、いくらでも電気の光子と磁気の光子を作れるので光子を加える必要は無い。
１０−１０ｍの公転軌道にもどるとき放出する電磁気は、電子の核の自転体の最も外側を回転する電気の光子と磁気の光子です。特性Ｘ線です。
を、
【請求項１４】
内側の殻を公転する電子にエネルギーを加え、外側の殻に移すと、すぐエネルギーを放出して再度内側の殻に移るのはどうしてか。
内側の殻のほうが外側の殻より軌道エネルギーは大きい。
加えるエネルギーは、電子の核子の自転体の外側の軌道の光子です。
放出するエネルギーは、電子の核子の自転体の最も外側の軌道の光子です。
電子の核子の自転軌道は、
１．２５×１０−１２ｍの公転軌道では、
１．２５×１０−１２ｍ÷１０１６＝１．２５×１０−２８ｍです。
１０−１１ｍの公転軌道では、１０−２７ｍです。
１０−１０ｍの公転軌道では、１０−２６ｍです。
５×１０−１０ｍの公転軌道では、５×１０−２６ｍです。
それで、１０−１０ｍの殻から５×１０−１０ｍの殻へ無理に電子を移動させた場合。
１０−１０ｍの公転軌道（殻）では、電子の核子の自転軌道は１０−２６ｍです。その自転軌道は変わらない。５×１０−１０ｍの公転軌道へ移しても変わらず保持する。
５×１０−１０ｍの公転軌道に存在するためには、電子の核の自転軌道は５×１０−２６ｍでなければならない。
それで、すぐ１０−１０ｍの公転軌道にもどる。
１０−１０ｍの公転軌道にもどった電子の核子は、いくらでも電気の光子と磁気の光子を作れるので光子を加える必要は無い。
１０−１０ｍの公転軌道にもどるとき放出する電磁気は、電子の核子の自転体の最も外側を回転する電気の光子と磁気の光子です。特性Ｘ線と磁気の光子です。
と訂正する。
【手続補正２】
【補正対象書類名】明細書
【補正対象項目名】全文
【補正方法】変更
【補正の内容】
【発明の詳細な説明】
【技術分野】
【０００１】  この発明は電子や陽子の中がどのようになっているかに関する。
【背景技術】
【０００２】  電子の中や陽子の中にはクオークが存在すると考えられている。
【本発明が解決しようとする課題】
【０００３】１．電子のラブはなんであるか。
２．電子の核子はどのような物であるか。
３．ビッグバンの以前、核子の大きさはどれ位か。
４．ビッグバンは何が原因で起きたか。
５．電子の核子の自転はどのようになっているか。
６．宇宙において、電子の核子の自転はどのように変化したか。
７．電子の核子の公転はどのようになっているか。
８．宇宙において、電子の核子の公転はどのように変化したか。
９．現在、地球において、電子の核子はどのように運動しているか。
１０．電気の光子はどのような原理でできるのか。
１１．ここでは電子の核子について記したが、陽子の核子がある。
陽子の核子については、電子の核子と同じように考える。
１２．電子の軌道である殻はどのようなものか。
１３．殻はどのようになっているか。
１４．内側の殻を公転する電子にエネルギーを加え、外側の殻に移すと、すぐエネルギーを放出して再度内側の殻に移るのはどうしてか。
１５．水素ができた軌道エネルギーは、地球の軌道エネルギーの何倍か。
【課題を解決するための手段】
【０００４】  本発明者は、陽子の中には陽子のラブがある。電子の中には電子のラブがある。と考えてきた。電子のラブはなんであるか。ビッグバンの以前は自転だけであった。そうすると電子のラブは何かの自転体である。その何かを核子と名づける。電子のラブは核子の自転体であると考える。電子のラブは核子の自転体であり、コイルのようになっている。電子が１公転する軌道に１０１６個の核子の自転体であるコイルが存在する。それで、１公転で１０１６個の磁気の光子ができる。コイル１個で１個の磁気の光子ができる。電気の光子はコイルの電磁誘導でできる。１０１６個のコイルで１０８個の電気の光子ができる。
核子は存在する場所のエネルギーによって自転軌道を変化させる。
核子は存在する場所のエネルギーによって公転軌道を変化させる。
宇宙では、ビッグバンの以前は自転だけであった。核子の自転：公転は常に１：１０１６であるから、ビッグバンの以前は、自転だけであるから、エネルギーは地球のエネルギーの１０１６倍で、軌道は１０−１６倍です。地球において、電子のラブの自転は１０−２８ｍですから、ビッグバンの以前の核子の自転は１０−２８ｍ×１０−１６＝１０−４４ｍです。この核子の自転軌道は低エネルギーの環境に成るにしたがって、大きくなった。
原子の中では、電子の核子は殻を公転している。高エネルギーの場に居る時は、公転軌道を小さくしている。核子の自転：公転は常に１：１０１６であるから、自転軌道も小さくしている。
電子にエネルギーを加えて、無理に、外側の殻に移動させるとき、電子はすぐもとの軌道にもどるのは、電子の核子の自転軌道は保持されるからです。
電子の中のエネルギーから水素ができた場のエネルギーが解る。
【発明の実施態様】
【０００５】１．  電子のラブはなんであるか。（図１）
電子のラブは電子の核子が自転したものです。
電子のラブは核子の自転体です。
２．  電子の核子はどのような物であるか。
電子の核子はビッグバンの以前に存在した物です。
３．  ビッグバンの以前、核子の大きさはどれ位か。
ビッグバンの以前、核子は自転だけをしていた。
現在地球において、電子の核子の自転軌道：公転軌道は１：１０１６ですから、自転だけであるビッグバンの以前の核子の自転軌道は、現在地球においての電子の核子の自転軌道の１０−１６倍です。
電子の核子の自転軌道は電子のラブの大きさですから、１０−２８ｍです。
それで、ビッグバンの以前の電子の核子の大きさは、
１０−２８ｍ×１０−１６＝１０−４４ｍです。
４．  ビッグバンは何が原因で起きたか。
核子が公転する事によっておきた。
５．  電子の核子の自転はどのようになっているか。
電子の核子の自転軌道は存在する場のエネルギーによって軌道を変化する。
存在する場のエネルギーが大きければ、核子の自転軌道は小さい。
存在する場のエネルギーが小さければ、核子の自転軌道は大きい。
６．  宇宙において、電子の核子の自転はどのように変化したか。（図２）
現在、地球において、電子のラブの自転軌道は１０−２８ｍです。
それで、電子の核子の自転軌道は１０−２８ｍです。
太陽のエネルギーは地球のエネルギーの５×１０３倍であるとすると（太陽の中心は１５００万Ｋ度で、地球の中心は３０００Ｋ度であるとする。）、太陽において、電子の核子の自転軌道は、
１０−２８ｍ÷（５×１０３）＝２×１０−３２ｍです。
銀河系のエネルギーは地球のエネルギーの１０５倍であるとすると、銀河系において、電子の核子の自転軌道は、
１０−２８ｍ÷１０５＝１０−３３ｍです。
クエーサーのエネルギーは銀河系のエネルギーの１０２倍であるとすると、（銀河系のエネルギーの１０２倍であるクエーサーの場合。）クエーサーにおいて、電子の核子の自転軌道は、
１０−３３ｍ÷１０２＝１０−３５ｍです。
ビッグバンの以前のエネルギーは、地球のエネルギーの１０１６倍ですから、ビッグバンの以前において、電子の核子の自転軌道は、
１０−２８ｍ÷１０１６＝１０−４４ｍです。
電子の核子の自転軌道は、ビッグバンの以前は、１０−４４ｍ、ビッグバンのときは、１０−４４ｍ、クエーサーは、１０−３５ｍ、銀河系は、１０−３３ｍ、地球は、１０−２８ｍです。
７．  電子の核子の公転はどのようになっているか。
電子の核子の公転軌道は存在する場のエネルギーによって軌道を変化する。
存在する場のエネルギーが大きければ、核子の公転軌道は小さい。
存在する場のエネルギーが小さければ、核子の公転軌道は大きい。
８．  宇宙において、電子の核子の公転はどのように変化したか。（図２）
現在、地球において、電子のラブの公転軌道は１．２５×１０−１２ｍです。
それで、電子の核子の公転軌道は約１０−１２ｍです。
太陽のエネルギーは地球のエネルギーの５×１０３倍であるとすると、太陽において、電子の核子の公転軌道は、
１０−１２ｍ÷（５×１０３）＝２×１０−１６ｍです。
銀河系のエネルギーは地球のエネルギーの１０５倍であるとすると、銀河系において、電子の核子の公転軌道は、
１０−１２ｍ÷１０５＝１０−１７ｍです。
クエーサーのエネルギーは銀河系のエネルギーの１０２倍であるとすると、クエーサーにおいて、電子の核子の公転軌道は、
１０−１７ｍ÷１０２＝１０−１９ｍです。
ビッグバンのエネルギーは地球のエネルギーの１０１６倍ですから、ビッグバンにおいて、電子の核子の公転軌道は、
１０−１２ｍ÷１０１６＝１０−２８ｍです。
電子の核子が公転することによって、１電子の空間が１０−４４ｍから１０−２８ｍになり１０１６倍になったので、ビッグバンはおきた。
電子の核子の公転軌道は、ビッグバンのときは、１０−２８ｍ、クエーサーは、１０−１９ｍ、銀河系は、１０−１７ｍ、地球は、１０−１２ｍです。
９．  現在、地球において、電子の核子はどのように運動しているか。
電子の核子は１回自転し、１個の磁気の光子を作っている。
電子の核子は１回公転し、１０８個の電気の光子を作っている。
電子の核子の自転軌道は１０−２８ｍです。
電子の核子の公転軌道は１０−１２ｍです。
核子が１公転する間に１０１６回自転する。
電子の核子が１公転する軌道に１０１６個の核子の自転体が並ぶと考える。
１０．  電気の光子はどのような原理でできるのか。（図３）
電子の核子は自転し１０−２８ｍの自転体と成っている。（公転軌道が１０−１２ｍの場合。）これは１０−２８ｍのコイルです。
電子の核子は自転し１０−２８ｍのコイルになっている。
電子の核子の公転軌道は１０−１２ｍですから１公転に、
１０−１２ｍ÷１０−２８＝１０１６個のコイルができる。
それで、電磁誘導の原理に従って、コイルの中に電流ができる。
この電流が電気の光子です。
電子の核子のコイル１０１６個で、１０８個の電気の光子ができる。
電子の核子のコイル１０８個で、１個の電気の光子ができる。
１１．  ここでは電子の核子について記したが、陽子の核子がある。
陽子の核子については、電子の核子と同じように考える。
陽子の核子のエネルギーは電子の核子のエネルギーの約２０００倍なので、軌道は２０００分の１です。
１２．  電子の軌道である殻はどのようなものか。（図４）
殻は陽子の核子が公転して作る電気の光子が束になって回転している軌道です。
陽子の核子が公転して作る電気の光子はγ線ですから、電気の光子の束を特性γ線と名づけます。
特性γ線の軌道（殻）を囲んで、ドーナツのように、陽子の核子の自転によってできた磁気の光子がクロス回転しています。
１３．  殻はどのようになっているか。（図５）
特性γ線の軌道（殻）を、電子の核子と電気の光子が回転しています。
電子の核子の自転によってできた磁気の光子は、陽子の核子の自転によってできた磁気の光子と同じ軌道をクロス回転しています。
例えば、１０−１１ｍの軌道の殻の場合。
（電子の中の軌道エネルギーの式は２００５年２月２８日提出の特許願に記した。）
電気の光子のエネルギーは、５．６×１０−２７Ｊ・ｍ÷１０−１１ｍ＝５．６×１０−１６Ｊです。
磁気の光子のエネルギーは、６．９×１０−３５Ｊ・ｍ÷１０−１１ｍ＝６．９×１０−２４Ｊです。
１０−１１ｍの軌道の殻には、陽子の核の公転によってできた５．６×１０−１６Ｊの電気の光子が束になって回転しています。
５．６×１０−１６Ｊの電子の自転体と、１０８個で５．６×１０−１６Ｊである電気の光子が同じ１０−１１ｍの殻の軌道を回転しています。
殻の軌道（電気の光子の軌道）をクロス回転しているのは、陽子の核子の自転でできた６．９×１０−２４Ｊの磁気の光子と、電子の核子の自転でできた磁気の光子です。
殻の軌道（電気の光子の軌道）をクロス回転している、陽子の核子の自転でできた６．９×１０−２４Ｊ（１０−１１ｍの軌道）の磁気の光子によって、電気の光子の軌道（殻）は守られている。
同じ軌道を走るものは、同じエネルギーのものです。
この場合、電子の核子の公転軌道は１０−１１ｍです。
そして、電子の核子の自転軌道は、１０−１１ｍ×１０−１６＝１０−２７ｍです。
このように、電子の核子の公転軌道が変化すると自転軌道も変化します。
１４．  内側の殻を公転する電子にエネルギーを加え、外側の殻に移すと、すぐエネルギーを放出して再度内側の殻に移るのはどうしてか。（図６）
内側の殻のほうが外側の殻より軌道エネルギーは大きい。
加えるエネルギーは、電子の核子の自転体の外側の軌道の光子です。
放出するエネルギーは、電子の核子の自転体の外側の軌道の光子です。
電子の核子の自転軌道は、
１．２５×１０−１２ｍの公転軌道では、
１．２５×１０−１２ｍ÷１０１６＝１．２５×１０−２８ｍです。
１０−１１ｍの公転軌道では、１０−２７ｍです。
１０−１０ｍの公転軌道では、１０−２６ｍです。
５×１０−１０ｍの公転軌道では、５×１０−２６ｍです。
それで、１０−１０ｍの殻から５×１０−１０ｍの殻へ無理に電子を移動させた場合。
１０−１０ｍの公転軌道（殻）では、電子の核子の自転軌道は１０−２６ｍです。その自転軌道は変わらない。５×１０−１０ｍの公転軌道へ移しても変わらず保持する。
５×１０−１０ｍの公転軌道に存在するためには、電子の核子の自転軌道は５×１０−２６ｍでなければならない。
それで、すぐ１０−１０ｍの公転軌道にもどる。
１０−１０ｍの公転軌道にもどった電子の核子は、いくらでも電気の光子と磁気の光子を作れるので光子を加える必要は無い。
１０−１０ｍの公転軌道にもどるとき放出する電磁気は、電子の核子の自転体の最も外側を回転する電気の光子と磁気の光子です。特性Ｘ線と磁気の光子です。
１５．  水素ができた軌道エネルギーは、地球の軌道エネルギーの何倍か。
電子の中は、軌道が×１０−１３ｍでエネルギーは１０倍になる。
地球では、軌道が×１０ｍでエネルギーは１０倍になる。
それで、電子の中のエネルギーは、１０ｍ÷１０−１３ｍ＝１０１４倍です。
よって、地球のエネルギーの１０１４倍の場で水素はできた。
水素ができた場の電子の核子の自転軌道は１０−２８ｍ÷１０１４＝１０−４２ｍで、公転軌道は、１０−１２ｍ÷１０１４＝１０−２６ｍです。陽子の核子の自転軌道は１０−３２ｍ÷１０１４＝１０−４６ｍで、公転軌道は、
１０−１６ｍ÷１０１４＝１０−３０ｍです。
次に宇宙に於けるエネルギーの比較と電子の核子の自転軌道と公転軌道を記す。
2005269898.tif 000010
【発明の効果】
【０００６】電子のラブは電子の核子の自転体であると考える事によって、どうして電気の光子ができるかを理解できた。
電子の核子はコイルのように自転するので、電磁誘導の原理により電気の光子はできる。
電子の核子は存在する場のエネルギーによって、自転軌道と公転軌道を変化させる。
高エネルギーの場では、軌道は小さく、低エネルギーの場では、軌道は大きくなる。
原子において、殻の軌道は、電子の核子の公転軌道である。電子の核子の公転軌道：自転軌道＝１０１６：１である。この事は、電磁気の発生によって理解できる。
電子の核子の公転軌道が変化する事によって、電子の核子の自転軌道も変化することが理解できた。
宇宙において、存在する場のエネルギーから、電子の核子の自転軌道の変化と、公転軌道の変化を理解できた。
水素ができたエネルギーは、地球のエネルギーの１０１４倍であることが理解できた。
電子の核子の自転が１０−４２ｍで、公転が１０−２６ｍのとき水素はできた。
宇宙には、電子の核子と陽子の核子だけが存在する事が理解できた。
核子の自転で磁気の光子ができる。核子の公転で電気の光子ができる事を理解できた。
【図面の簡単な説明】
【図１】電子のラブは電子の核子が自転したものです
【図２】表に記したように、電子の核子の自転は拡大し、公転は拡大した。
【図３】電子の核子の自転軌道は１０−２８ｍです。電子の核子の公転軌道は１０−１２ｍです。核子が１公転する間に１０１６回自転する。電子の核子が１公転する軌道に１０１６個の核子の自転体であるコイルが並ぶ。
【図４】殻は陽子の核子が公転して作る電気の光子が束になって回転している軌道です。この軌道を、陽子の核子が自転して作る磁気の光子がクロス回転して守っている。
【図５】殻を、同じエネルギーの陽子の核子と電子の核子の公転でできた電気の光子が回転している。電子の核子が公転している。陽子の核子の自転でできた磁気の光子がクロス回転している。電子の核子の自転でできた磁気の光子がクロス回転している。
【図６】加えるエネルギーは、電子の核子の自転体の外側の軌道の光子です。放出するエネルギーは、電子の核子の自転体の最も外側の軌道の光子です。それで、１０−１０ｍの殻から５×１０−１０ｍの殻へ無理に電子を移動させた場合。１０−１０ｍの公転軌道（殻）では、電子の核子の自転軌道は１０−２６ｍです。その自転軌道は変わらない。５×１０−１０ｍの公転軌道へ移しても変わらず保持する。５×１０−１０ｍの公転軌道に存在するためには、電子の核子の自転軌道は５×１０−２６ｍでなければならない。それで、すぐ１０−１０ｍの公転軌道にもどる。
【符号の説明】
１  電子のラブ＝電子の核子の自転体
２  電子の核子
３  電子の核子の自転軌道
４  電子の核子の公転軌道
５  ビッグバンの以前の軌道
６  ビッグバンの軌道
７  水素ができた場の軌道
８  銀河系の１００倍のエネルギーのクエーサーの軌道
９  銀河系の軌道
１０  太陽の軌道
１１  地球の軌道
１２  １公転している間に１０１６個の電子の核子の自転体であるコイルができる。
１３  陽子の核子
１４  陽子の核子の自転軌道
１５  陽子の核子の公転軌道
１６  殻＝特性γ線＝陽子の核子の公転によってできた電気の光子の束
１７  陽子の核子の自転によってできた磁気の光子の束
１８  電子の核子の公転によってできた電気の光子
１９  電子の核子の自転によってできた磁気の光子
２０  加えるエネルギー
２１  放出する電磁気
２２  電子の核子の自転軌道
２３  電子の核子の自転軌道は変わらず保持される。
【手続補正書】
【提出日】平成17年6月12日(2005.6.12)
【手続補正１】
【補正対象書類名】手続補正書
【補正対象項目名】手続補正書１
【補正方法】変更
【補正の内容】
【手続補正１】
【補正対象書類名】特許請求の範囲
【補正対象項目名】請求項１４
【補正方法】変更
【補正の内容】
【請求項１４】
内側の殻を公転する電子にエネルギーを加え、外側の殻に移すと、すぐエネルギーを放出して再度内側の殻に移るのはどうしてか。
内側の殻のほうが外側の殻より軌道エネルギーは大きい。
加えるエネルギーは、電子の核子の自転体の外側の軌道の光子です。
放出するエネルギーは、電子の核子の自転体の最も外側の軌道の光子です。
電子の核子の自転軌道は、
１．２５×１０−１２ｍの公転軌道では、
１．２５×１０−１２ｍ÷１０１６＝１．２５×１０−２８ｍです。
１０−１１ｍの公転軌道では、１０−２７ｍです。
１０−１０ｍの公転軌道では、１０−２６ｍです。
５×１０−１０ｍの公転軌道では、５×１０−２６ｍです。
それで、１０−１０ｍの殻から５×１０−１０ｍの殻へ無理に電子を移動させた場合。
１０−１０ｍの公転軌道（殻）では、電子の核子の自転軌道は１０−２６ｍです。その自転軌道は変わらない。５×１０−１０ｍの公転軌道へ移しても変わらず保持する。
５×１０−１０ｍの公転軌道に存在するためには、電子の核の自転軌道は５×１０−２６ｍでなければならない。
それで、すぐ１０−１０ｍの公転軌道にもどる。
１０−１０ｍの公転軌道にもどった電子の核子は、いくらでも電気の光子と磁気の光子を作れるので光子を加える必要は無い。
１０−１０ｍの公転軌道にもどるとき放出する電磁気は、電子の核子の自転体の最も外側を回転する電気の光子と磁気の光子です。特性Ｘ線と磁気の光子です。